(57)【要約】【課題】  操作性に優れ、安価で、装置の小型化が可能な回転可能な表示装置を備えた撮像装置を提供する。【解決手段】  映像表示装置（６）の端部に、映像表示装置（６）が閉じた状態でも操作可能な位置にロック部材付きの電源スイッチ（７）を設ける。電源スイッチ（７）のロックを解除するための操作部材が、映像表示装置（６）を開くための指がかりとなる。前記映像表示装置の映像表示面（６ｂ）側で、電源スイッチ（７）の回転中心と略同一な位置に十字キー（１０）を配置する。十字キー（１０）の反対側には、エンドレスに回転可能な操作ダイヤルを配置する。【選択図】  図２
2008310216.tif 000002
【特許請求の範囲】
【請求項１】
本体の側面に開閉する映像表示装置を備える撮像装置であって、前記映像表示装置の回転軸と対向する前記映像表示装置の端部に、前記撮像装置の電源スイッチを設けたことを特徴とする撮像装置。
【請求項２】
前記電源スイッチは、前記映像表示装置が閉じた状態でも操作可能な位置に配置されることを特徴とする請求項１に記載の撮像装置。
【請求項３】
前記電源スイッチは、撮像装置の撮影モードと再生モードの切り替えに使用されることを特徴とする請求項１に記載の撮像装置。
【請求項４】
前記電源スイッチは回転式で、前記電源スイッチの回転軸と垂直な面で、前記電源スイッチの回転中心上に十字キーを配置したことを特徴とする請求項１に記載の撮像装置。
【請求項５】
前記電源スイッチは回転式であり、
更に、前記電源スイッチの回転軸と垂直な面で、前記電源スイッチの回転中心上にエンドレスに回転可能な操作ダイヤルを配置したことを特徴とする請求項１に記載の撮像装置。
【請求項６】
前記十字キーは、前記映像表示装置の映像表示面の側に配置されることを特徴とする請求項４に記載の撮像装置。
【請求項７】
前記エンドレスに回転可能な操作ダイヤルは、前記映像表示装置の映像表示面と反対の面に配置されることを特徴とする請求項５に記載の撮像装置。
【発明の詳細な説明】
【技術分野】
【０００１】
本発明は、ビデオカメラ装置又はデジタルスチルカメラ装置等の撮像装置に関し、特に、開閉可能な映像表示装置を備えた撮像装置に関する。
【背景技術】
【０００２】
近年、ビデオカメラの小型化は目覚ましく、ビデオカメラ本体の大きさ（各面の投影面積）は減少する傾向にある。このため、ビデオカメラを操作するためのボタンの配置可能な場所も制約されてきている。しかし、その反面、多機能化やデザインの差別化により操作ボタンの数はむしろ増加する傾向にある。また、操作性の面から考えると、多数の操作ボタンがただ整然と並んでいたのでは、ビデオカメラの操作性が著しく劣ってしまう。特に、ビデオカメラの背面側に電源を供給するバッテリーパックが装着される場合が多いため、操作性の面からビデオカメラの背面に配置すべき操作ボタン（電源スイッチ等）を配置可能な場所がなくなっている。
【０００３】
また、撮影時や再生時の画像を確認しやすいように、バックライト付きの液晶パネルなどの大型表示装置が備えられることが多い。そして、この表示装置は、２軸ヒンジ機構により撮像装置本体に対して回転可能に設けられている。即ち、収納時には、表示装置は、撮像装置本体に設けられた凹部に収納された収納位置にあり、使用時には、表示装置は、撮像装置本体から離れるように回転し、表示画面を背面方向又は正面方向に向けられた展開位置にある。ようになっている。
【０００４】
よって、撮影時には撮像装置の電源スイッチを入れて、表示装置を展開位置に開き、表示画面をモニターしながら撮影する。撮影が終了したら、表示装置を収納位置に戻し、電源スイッチを切ることになる。バッテリパックの電池を長持ちさせ、長時間撮影するためには、この動作を頻繁に繰り返す必要がある。
【０００５】
従来の撮像装置には、表示装置に駆動手段を設け、撮像装置の電源が投入されると駆動手段によって表示装置を展開位置に回転駆動する構成が記載されている（例えば、特許文献１参照）。
【０００６】
図５は、そのような従来の撮像装置の外観図を示すについて説明する。図５（ａ）は、従来の撮像装置１００の表示装置１１６が収納されている状態を示し、図５（ｂ）は表示装置１１６が中間的に展開された状態を示し、図５（ｃ）は、表示装置１１６が完全に展開された状態を示す。１１４は撮影レンズ、１１６は液晶表示パネルを内蔵する表示装置である。
【０００７】
本体部１１２に設けられた矩形状のスライダー１３０は、ロッド１３６を押し込むことでスライド可能になる。スライダー１３０をスライド操作すると、電源スイッチが入ると同時に、表示装置１１６からロック１４２から外れる。ロック１４２が外れると、図５（Ｂ），（Ｃ）に示すように表示装置１６が展開可能になり、表示面１１６Ａが露出する。表示装置１１６の回転軸近傍には、複数個のギアとモータからなる駆動装置が配置される。この駆動装置が、電源オンに応じて、表示装置１６を収納位置から展開位置に回転させ、電源オフに応じて、展開位置から収納位置に戻す。
【特許文献１】特開２００５−６２５６３号公報
【発明の開示】
【発明が解決しようとする課題】
【０００８】
特許文献１に記載の構成では、電源のオン／オフによって自動で表示装置が開閉することにより、電池を余分に消費してしまう。また、表示装置の回転軸近傍に駆動装置を設けることは、撮像装置の小型化を困難にするだけでなく、撮像装置を高価なものにしてしまう。
【０００９】
また、表示装置を収納状態のまま撮像装置の電源を入れたい場合、例えば再生時にモニターとしてテレビジョン装置を接続している場合などには、表示装置を収納状態のままにしておきたい。しかし、従来の構成でも、電源オンにより表示装置が自動で展開されてしまい、かえって使いづらいものとなってしまう。
【００１０】
バッテリパックを撮像装置の背面に配置する場合、撮像装置を大型化して本体部の背面に電源スイッチを設ける余地を確保するか、撮像装置の背面以外の場所に電源スイッチを配置しなくてはならない。どちらも、使いづらいものとなってしまう。
【００１１】
本発明は、上記の点に着目して成されたもので、操作性に優れ、且つ装置全体も小型で安価な撮像装置を提供することを目的とする。
【課題を解決するための手段】
【００１２】
本発明に係る撮像装置は、本体の側面に開閉する映像表示装置を備える撮像装置であって、前記映像表示装置の回転軸と対向する前記映像表示装置の端部に、前記撮像装置の電源スイッチを設けたことを特徴とする。
【００１３】
好ましくは、前記電源スイッチは、前記映像表示装置が閉じた状態でも操作可能な位置に配置されることを特徴とする。
【００１４】
好ましくは、前記電源スイッチは、撮像装置の撮影モードと再生モードの切り替えに使用されることを特徴とする。
【００１５】
好ましくは、前記電源スイッチは回転式で、前記電源スイッチの回転軸と垂直な面で、前記電源スイッチの回転中心上に十字キーを配置したことを特徴とする。
【００１６】
好ましくは、前記電源スイッチは回転式であり、更に、前記電源スイッチの回転軸と垂直な面で、前記電源スイッチの回転中心上にエンドレスに回転可能な操作ダイヤルを配置したことを特徴とする。
【００１７】
好ましくは、前記十字キーは、前記映像表示装置の映像表示面の側に配置されることを特徴とする。
【００１８】
好ましくは、前記エンドレスに回転可能な操作ダイヤルは、前記映像表示装置の映像表示面と反対の面に配置されることを特徴とする。
【発明の効果】
【００１９】
本発明によれば、操作性に優れ、小型な撮像装置を提供できる。
【発明を実施するための最良の形態】
【００２０】
以下、図面を参照して、本発明の実施例を詳細に説明する。
【実施例１】
【００２１】
図１は、本発明の一実施例である撮像装置の表示装置を収納した状態の、後方から見た外観斜視図を示す。図２は、表示装置を展開した状態の、後方から見た分解斜視図を示す。
【００２２】
１は撮像レンズ、２は記録媒体が装着される装着部で、撮像レンズ１の横にレイアウトされ撮影時のグリップとなる、３は本体に電源を供給するためのバッテリパックで、ビデオカメラ本体８の背面部に着脱可能になっている。４はズームレバー、５はトリガーボタンである。
【００２３】
液晶パネル６が、撮影レンズ１の側方に配置され、その側辺部６ａがビデオカメラ本体８に対して水平方向に回転可能に連結されている。即ち、液晶パネル６は、本体の側面に開閉する映像表示装置である。回転式の電源スイッチ７を矢印Ａ方向に回転させると、撮影モードになり、矢印Ｂ方向に回転させると、再生モードとなる。電源スイッチ７は、液晶パネル６のビデオカメラ本体８と連結された側辺部６ａと対向する反対側の端部に配置される。これにより、液晶パネル６が収納状態でも、電源スイッチ７がビデオカメラ本体８から露出しており、ユーザはその状態で電源スイッチ７を操作可能である。
【００２４】
また、電源スイッチ７には、回転操作を規制するロック部材９が設けられている。ロック部材９を電源スイッチ７の回転中心方向に押圧操作すると、電源スイッチ７は回転可能となる。電源スイッチ７は、撮影モードと再生モードの切り替えに使用される。
【００２５】
すなわち、撮影時には、図１に示す液晶パネル６の収納状態で、電源スイッチ７に設けられたロック部材９を指で押圧操作しながら矢印Ａ方向に電源スイッチ７を回転する。これにより、ビデオカメラ本体８は撮影モードに移行する。この状態のまま、液晶パネル６を水平方向に展開すると、映像表示面６ｂが撮影者に対向する図２の状態になる。この状態で、撮影者は、撮像画像をモニタできる。
【００２６】
そして、撮影者は、ズームレバー４で任意の画角を選択し、トリガーボタン５で撮影の開始と停止を操作しながら、撮影を行うことができる。撮影終了時には、液晶パネル６を収納状態に戻し、そのまま電源スイッチ７を回転させて、ビデオカメラ本体８の電源を切ることができる。
【００２７】
液晶パネル６の映像表示面６ｂ側で、電源スイッチ７の回転中心と略同一な位置に、即ち、電源スイッチ７の回転中心上に、十字キー１０が電源スイッチ７の回転中心と垂直な面内になるように配置される。電源スイッチ７を挟んで十字キー１０の反対側で、電源スイッチ７の回転中心上に、エンドレスに回転可能なダイヤル１１が備えられている。ビデオカメラ本体８の各種設定を変更するメニューに対して、十字キー１０を操作することにより各種設定の選択や決定が行える。ダイヤル１１を回転操作することによって、フォーカスや露出を調整できる。よって、撮影者は、撮影時に最小限の指の移動により多種多様な操作が可能となる。
【００２８】
図３は、液晶パネル６の映像表示面６ｂ側から見た分解斜視図を示す。図４は、液晶パネル６の背面側から見た分解斜視図を示す。
【００２９】
液晶パネル６は、パネル上カバー１５及びパネル下カバー１８によって、液晶ユニット１７、バックライトユニット１６及びプリント基板１９が挟みこまれ保持される構成になっている。液晶パネル６の端部に、電源スイッチ７などの操作スイッチ機構が組み込まれ、保持されている。パネル下カバー１８側が表示面側となり、パネル下カバー１８に設けられた角穴１８ｃを通して、液晶ユニット１７の画像をモニタできる。
【００３０】
電源スイッチ７は、中空で円筒形状の保持部７ａ、凸形状の操作部７ｂ及び扇状のクリック部７ｃから形成されている。略楕円形状に形成されたロック部材９凸形状操作部９ａが、電源スイッチ７の操作部７ｂに設けられた長穴７ｄと係合する。ロック部材９を電源スイッチ７の回転中心方向に押圧操作すると、ロック部材９は弾性変形し、操作部７ｂはスライド操作可能となる。
【００３１】
電源スイッチ７の中空で円筒形状の保持部７ａと回転可能に係合する円筒形状の固定部材１２が組み込まれる。固定部材１２の反対側には、信号出力器として所定の回転ピッチごとにパルスを発生するパルスエンコーダ１３が実装されたプリント基板１４が設けられる。パルスエンコーダ１３の中心部には、多角形の穴１３ａが形成されている、この多角形の穴１３ａと回転ダイヤル１１に設けられた多角形の回転軸１１ａの先端部が係合することによって、回転ダイヤル１１の回転がエンコーダ１３に伝達される。エンコーダ１３が発生したパルス信号は、プリント基板１４から図示せぬ電気信号配線によってビデオカメラ本体に伝えられる。この時、回転ダイヤル１１は、固定部材１２の電源スイッチ７と係合している側とは反対側で回転可能な係合関係にある。同時に、回転ダイヤル１１の回転軸１１ａは、固定部材１２の穴１２ａ、ロック部材９の略楕円部、及び、電源スイッチ７の中空な円筒形状の保持部７ａを貫通して、エンコーダ１３の多角形の穴１３ａと係合している。回転ダイヤル１１の一部は、パネル上カバー１５から円周の一部が露出するように組み込まれ、回転操作が可能となる。
【００３２】
中央部に凸部を設けたクリックバネ２０の略Ｌ字状に形成された両端部の穴部２０ａに、パネル上カバー１５に設けられたダボ１５ａが溶着される。これにより、クリックバネ２がパネル上カバー１５に固定される。クリックバネ２０の凸部と電源スイッチ７の扇状のクリック部７ｃによって、クリック機構が構成される。
【００３３】
電源スイッチ７の扇状のクリック部７ｃには、コの字状の凸部７ｅが形成されている。電源スイッチ７を回転させると、コの字状の凸部７ｅによって、プリント基板１９に実装された検知スイッチ２１が押圧操作される。この検知スイッチ２１は、押圧操作の方向を認識できるものであり、電源スイッチ７が撮影モード方向又は再生モード方向のどちらかに回転されたのかが認識可能となる。検知スイッチ２１で認識した信号が、プリント基板１９から図示せぬ電気信号配線によってビデオカメラ本体に伝えられ、ビデオカメラは所定のモードとなる。電源スイッチ７にはクリック機構が設けられているので、不用意に電源スイッチ７が回転してしまい、検知スイッチ２１の信号が途絶えてしまうことはない。
【００３４】
エンコーダ１３が実装されたプリント基板１４の、エンコーダ１３が実装された面とは反対の面に、十字スイッチ２２が実装されている。エンコーダ１３と十字スイッチ２２の中心は、ほぼ一致している。十字スイッチ２２は中央部に角状のダボ２２ａを有し、ダボ２２ａは、十字キー１０に設けられた角穴１０ａに嵌合する。この十字スイッチ２２は、角状のダボ２２ａが上下左右の４方向に傾けられると、傾けた方向を認識できる。十字スイッチ２２で認識した信号は、プリント基板１４から図示せぬ電気信号配線によってビデオカメラ本体に伝えられる。このような構成により、パネル下カバー１８に設けられた丸穴１８ａから露出するように組み込まれた十字キー１０を任意の方向に傾けたとき、十字キー１０の操作方向をビデオカメラ本体に伝達できる。
【００３５】
ロック部材９に設けられたロック部９ｂと、パネル下カバー１８に設けられた凹部１８ｂが、電源スイッチ７の電源を切った状態で係合し、電源スイッチ７の回転を規制する。電源スイッチ７を回転する場合は、ロック部材９を押圧操作し、係合関係を解除してから、電源スイッチ７を任意の方向に回転させる。
【００３６】
以上のような構成により、撮影者は、撮影時に電源スイッチ７を指で撮影モードに操作した状態のまま、収納状態にある映像表示装置６を本体から離れるように回転し、表示画面をモニタできる。即ち、一連のスムーズな操作で撮影準備をすることができる。また、電源スイッチ７の回転中心上に十字キー１０及び回転ダイヤル１１を配置したので、最小限の指の移動により複数の操作が可能となる。
【００３７】
本実施例では、撮影時に電源スイッチを指で撮影モードに操作した状態から、そのまま収納状態にある前記映像表示装置を本体から離れるように回転し、表示画面をモニタできるようになる。また、再生時などの前記表示装置を収納状態のままでよい場合は電源スイッチを再生モードに操作したのち指を離してしまえばよい。これにより、操作性に優れ装置全体も安価な撮像装置を提供できる。そして電源スイッチを映像表示装置に備えたので、本体部に電源スイッチを備える必要がなくなり、撮像装置背面の投影面積を大きくする必要がなくなる。
【００３８】
電源スイッチが回転式で、十字キーとエンドレスに回転可能な操作ダイヤルとを近接配置したので、指の移動が最小限で複数の操作が可能となる。操作性に優れ、小型な撮像装置を提供できる。
【図面の簡単な説明】
【００３９】
【図１】本発明の一実施例の表示装置を収納した状態を示す後方斜視図である。
【図２】本実施例の表示装置を展開した状態の後方斜視図である。
【図３】表示装置の表示画面側から見た分解斜視図である。
【図４】表示装置の背面側から見た分解斜視図である。
【図５】従来例の後方斜視図である。
【符号の説明】
【００４０】
１‥‥撮像レンズ
２‥‥装着部
３‥‥バッテリーパック
４‥‥ズームレバー
５‥‥トリガーボタン
６‥‥液晶パネル
７‥‥電源スイッチ
８‥‥ビデオカメラ本体
９‥‥ロック部材
１０‥十字キー
１１‥回転ダイヤル
１２‥固定部材
１３‥パルスエンコーダ
１４‥プリント基板
１５‥パネル上カバー
１６‥バックライトユニット
１７‥液晶ユニット
１８‥パネル下カバー
１９‥プリント基板
２０‥クリックバネ
２１‥検知スイッチ
２２‥十字スイッチ
【図１】
2008310216.tif 000003
【図２】
2008310216.tif 000004
【図３】
2008310216.tif 000005
【図４】
2008310216.tif 000006
【図５】
2008310216.tif 000007